(57)【特許請求の範囲】
【請求項１】
貯水タンクの手洗いに設置して、前記貯水タンクに供給する給水管の蛇口からの水が通じるようにした容器内に、水溶性固形薬剤を収容した水洗トイレ用薬剤供給具であって、
前記容器内の前記水溶性固形薬剤の載置部の周囲外方において近接する流入路を有した複数の流入口を設け、さらに前記載置部の中央に流出口を設けたことを特徴とする水洗トイレ用薬剤供給具。
【請求項２】
貯水タンクの手洗いに設置して、前記貯水タンクに供給する給水管の蛇口からの水が通じるようにした容器内に、水溶性固形薬剤を収容した水洗トイレ用薬剤供給具であって、
前記容器内の前記水溶性固形薬剤の載置部の周囲に沿って放射状に配すると共に、それぞれ上方へ傾斜する流入路を有した複数の流入口を設け、さらに前記載置部の中央に流出口を設けたことを特徴とする水洗トイレ用薬剤供給具。
【請求項３】
前記載置部を、前記流出口を中心として放射状に配した複数の分割体とし、それぞれの分割体の間に、前記流出口側に傾斜した複数の傾斜面を設けたものとしたことを特徴とする請求項１又は２に記載の水洗トイレ用薬剤供給具。
【請求項４】
前記載置部の周囲外において、複数の前記流入口のそれぞれの間に前記水溶性固形薬剤の移動防止体を突設したものとしたことを特徴とする請求項１又は２に記載の水洗トイレ用薬剤供給具。
【発明の詳細な説明】
【０００１】
【産業上の利用分野】
この発明は、水洗トイレの貯水タンク内の貯水に消臭、殺菌、芳香、洗浄等の薬効をもたせるための薬剤供給具に関するものである。
【０００２】
【従来の技術】
従来、この種の水洗トイレ用薬剤供給具には、例えば図６に示したように、貯水タンク１の手洗い２に設置して、貯水タンク１に供給する給水管３の蛇口３ａからの水が通じるようにした容器４としたものが存在する。
【０００３】
前記容器４は、図７、８に示したように、蓋体５を本体６に着脱自在としており、この容器４には、水溶性固形薬剤Ｍを収容している。そして、蓋体５の上面には複数の流入口７ａを設けたものとし、本体６には放射状に配した水溶性固形薬剤Ｍの載置部９のそれぞれの間に、同様に放射状に配した複数の略扇形の流入口８ａを設けると共に、これら載置部９の中央に円形の流出口８ｂを設けたものとし、流入口７ａ、流入口８ａ、流出口８ｂを介して前記給水管３の蛇口３ａからの水を容器４内に通じるようにしている。
【０００４】
【発明が解決しようとする課題】
しかしながら、上記従来の水洗トイレ用薬剤供給具では、前記給水管３の蛇口３ａからの水が容器４に直接降りかからない場合、この水は前記流入口７ａから容器４内には流入せず、また前記流入口８ａから容器４内に流入した水は、すぐにこれら流入口８ａから容器４外に流出するため、水溶性固形薬剤Ｍの溶出具合が悪くなり、水溶性固形薬剤Ｍを長期間に渡って安定した状態で溶出することができないという課題を有していた。
【０００５】
そこで、この発明は、上記従来の課題を解決するためになされたものであり、前記給水管３の蛇口３ａからの水が容器４内に流入する量を適切なものにすることにより、水溶性固形薬剤Ｍを長期間に渡って安定した状態で溶出するようにした水洗トイレ用薬剤供給具を提供することを目的としている。
【０００６】
【課題を解決するための手段】
そのため、この発明の水洗トイレ用薬剤供給具は、貯水タンクの手洗いに設置して、前記貯水タンクに供給する給水管の蛇口からの水が通じるようにした容器内に、水溶性固形薬剤を収容した水洗トイレ用薬剤供給具としており、前記容器内の水溶性固形薬剤の載置部の周囲外方において近接する流入路を有した複数の流入口を設け、さらに載置部の中央に流出口を設けたものとしている。
また、前記流入口を前記載置部の周囲に沿って放射状に配すると共に、上方へ傾斜した流入路を備えた構成とすることもできる。
【０００７】
そして、前記載置部９は、流出口８ｂを中心として放射状に配した複数の分割体とし、それぞれの分割体の間に、流出口８ｂ側に傾斜した複数の傾斜面１１を設けたものとすることができる。
【０００８】
また、前記載置部９の周囲外において、複数の流入口８ａのそれぞれの間に水溶性固形薬剤Ｍの移動防止体１２を突設したものとすることができる。
【０００９】
【作用】
上記構成としたため、この発明の水洗トイレ用薬剤供給具は、載置部９の周囲に沿って放射状に配した複数の流入口８ａからの容器４内への水の流入は流入路１０を通過してスムーズなものとなる。
【００１０】
さらに、前記水洗トイレ用薬剤供給具において、傾斜面１１を設けたものでは、容器４内に流入し水溶性固形薬剤Ｍを徐々に溶出した水が、この傾斜面１１に沿って流れ、流出口８ｂにスムーズに案内される。
【００１１】
また、前記水洗トイレ用薬剤供給具において、載置部９の周囲外に移動防止体１２を突設したものでは、水溶性固形薬剤Ｍが移動しないので、この水溶性固形薬剤Ｍにより複数の流入口８ａが閉鎖されるようなことはない。
【００１２】
【実施例】
以下、この発明の水洗トイレ用薬剤供給具を、実施例として示した図面に基づいて詳細に説明する。
【００１３】
先ず、図１に示したように、この発明の水洗トイレ用薬剤供給具は、貯水タンク１の手洗い２に設置して、貯水タンク１に供給する給水管３の蛇口３ａからの水が通じるようにした容器４としている。
【００１４】
前記容器４は、図２に示したように、蓋体５を本体６に着脱自在としており、この実施例では蓋体５壁面の下端内周に形成したリブ５ａに本体６の壁面の上端外周に形成した凸部６ａを引っ掛けたものとしている。そして、この容器４内には、水溶性固形薬剤Ｍを収容している。
【００１５】
そして、前記容器４の上部に流入口７ａを、下部に流入口８ａと流出口８ｂをそれぞれ設けており、給水管３の蛇口３ａからの水が容器４内に通じるようにしている。また、前記容器４の下部のみに流入口８ａと流出口８ｂを設け、給水管３の蛇口３ａからの水が容器４内に通じるようにすることもできる。
【００１６】
前記容器４の上部の流入口７ａは、蓋体５の上面に形成した複数の通孔としており、容器４の下部の流入口８ａは、本体６に設けた水溶性固形薬剤Ｍの載置部９の周囲に沿って放射状に配すると共に、それぞれ流入路１０を有した細長い複数の通孔とし、流出口８ｂは、この載置部９の中央に形成した円形の通孔としている。そして、この流入路１０は、それぞれ載置部９から流入口８ａ側に傾斜する傾斜面としている。なお、この傾斜面は、平面であっても凹曲面や凸曲面であってもよい。
【００１７】
前記載置部９は、流出口８ｂを中心として放射状に配した複数の分割体とし、それぞれの分割体の間に、流出口８ｂ側に傾斜した複数の傾斜面１１を設けたものとしている。したがって、傾斜面１１は、前記傾斜面とした流入路１０とは逆方向に傾斜するものとなる。なお、この傾斜面１１は、実施例では流出口８ｂにのみ到達するものとしているが、載置部９の下部に必要に応じ設けられる流出口（図示せず）にも到達するものとして実施することができる。また、傾斜面とした流入路１０および傾斜面１１の傾斜角は、それぞれ約２０〜６０度とするのが、水の流入および流出がスムーズなものとなり好ましい。
【００１８】
そして、載置部９の周囲外において、前記複数の流入口８ａのそれぞれの間に水溶性固形薬剤Ｍの移動防止体１２を突設したものとしている。
【００１９】
さらに、前記移動防止体１２のそれぞれの外周には、補助開口部１３を設けている。
【００２０】
また、前記本体６の底面の下部には、必要に応じて、前記流出口８ｂから垂下した足体１４や、手洗い２への支持体１５を設けたものとしている。前記足体１４は、手洗い２の排水穴（図示せず）に差し込んで、本体６が移動することなく、安定した状態で手洗い２に設置しておくためのものである。
【００２１】
前記水溶性固形薬剤Ｍは、円錐台、円錐、角錐台、角錐、円柱、角柱等の各種の形状とすることができ、前記載置部９の形状も、この水溶性固形薬剤Ｍの底面形状に応じた形状とすることができる。
【００２２】
以上のように構成したこの発明の水洗トイレ用薬剤供給具は、図１に示したように、本体６に設けた足体１４を貯水タンク１の手洗い２の排水穴に差し込んだ状態で設置する。なお、本体６に足体１４を設けていないものでは、単に前記排水穴の上に置く。
【００２３】
そして、用便後、貯水タンク１側部のバルブコック１６を操作すれば、容器４の上下部に設けた流入口７ａ、流入口８ａ、流出口８ｂ、または容器４の下部に設けた流入口８ａ、流出口８ｂを介して給水管３の蛇口３ａからの水が容器４内に通じ、水溶性固形薬剤Ｍを徐々に溶出しつつ貯水タンク１に流入する。すなわち、給水管３の蛇口３ａからの水は、前記流入口７ａから水溶性固形薬剤Ｍに直接降りかかり、水溶性固形薬剤Ｍを徐々に溶出しつつ、傾斜面１１を通過して流出口８ｂから貯水タンク１に流入する。また、給水管３の蛇口３ａからの水は、前記流入口８ａから流入路１０を通過し、水溶性固形薬剤Ｍの底部に接触し、水溶性固形薬剤Ｍを徐々に溶出しつつ、傾斜面１１を通過して流出口８ｂから貯水タンク１に流入する。そして、貯水タンク１内の貯水に消臭、殺菌、芳香、洗浄等の薬効をもたせることができる。
【００２４】
次に、この発明の水洗トイレ用薬剤供給具および従来の水洗トイレ用薬剤供給具による水溶性固形薬剤Ｍの溶出具合の評価試験をおこなったので、その試験方法、試験結果について以下に述べる。
（試験方法）
先ず、水溶性固形薬剤（色素で着色したもの）Ｍを容器４内に収容したこの発明の水洗トイレ用薬剤供給具および従来の水洗トイレ用薬剤供給具を、以下に示すＡ〜Ｄの各機種の貯水タンクの手洗いに設置して、フラッシュ操作を連続して３回行い、排出された水を各回毎に試験管に採取する。そして、それぞれの採取水の吸光度を株式会社島津製作所製の分光光度計（ＵＶ−２６５ＦＷ）を使用して、吸光度値を測定し、水溶性固形薬剤Ｍの溶出具合を評価した。吸光度値は表１に示した。
【００２５】
なお、この発明の水洗トイレ用薬剤供給具および従来の水洗トイレ用薬剤供給具とも、容器４の上部には流入口７ａを設けないで、上記評価試験を行った。
【００２６】
【表１】
0003619906.tif 000002
【００２７】
（試験結果）
この発明の水洗トイレ用薬剤供給具では、Ａ〜Ｄの各機種において、平均して吸光度値が高く、水溶性固形薬剤Ｍの溶出具合が非常に良く満足のできるものとなった。しかしながら、従来の水洗トイレ用薬剤供給具では、手洗いが深いＡ機種においてはある程度の吸光度値を得ることができ、水溶性固形薬剤Ｍの溶出具合も普通でほぼ満足できたが、手洗いが浅いＢ〜Ｄの各機種においては吸光度値が極端に小さく、水溶性固形薬剤Ｍの溶出具合が非常に悪く満足のできるものではなかった。
【００２８】
【発明の効果】
この発明の水洗トイレ用薬剤供給具は、以上に述べたように構成されているので、水溶性固形薬剤Ｍの載置部９の周囲に沿って放射状に配した複数の流入口８ａからの容器４内への水の流入は流入路１０を通過してスムーズなものとなり、水溶性固形薬剤Ｍを長期間に渡って安定した状態で溶出することができるものとなった。
【図面の簡単な説明】
【図１】この発明の水洗トイレ用薬剤供給具を貯水タンクの手洗いに設置した状態を示す斜視図である。
【図２】この発明の水洗トイレ用薬剤供給具の分解斜視図である。
【図３】この発明の水洗トイレ用薬剤供給具の断面図である。
【図４】この発明の水洗トイレ用薬剤供給具の本体の平面図である。
【図５】この発明の水洗トイレ用薬剤供給具の本体の底面図である。
【図６】従来の水洗トイレ用薬剤供給具を貯水タンクの手洗いに設置した状態を示す斜視図である。
【図７】従来の水洗トイレ用薬剤供給具の分解斜視図である。
【図８】従来の水洗トイレ用薬剤供給具の断面図である。
【符号の説明】
１  貯水タンク
２  手洗い
３  給水管
３ａ  蛇口
４  容器
８ａ  流入口
８ｂ  流出口
９  載置部
１０  流入路
１１  傾斜面
１２  移動防止体
Ｍ  水溶性固形薬剤
【図１】
0003619906.tif 000003
【図２】
0003619906.tif 000004
【図３】
0003619906.tif 000005
【図４】
0003619906.tif 000006
【図５】
0003619906.tif 000007
【図６】
0003619906.tif 000008
【図７】
0003619906.tif 000009
【図８】
0003619906.tif 000010